(57)【要約】【課題】  枠に引き代が不要で狭い間口に設置することができる建物用のスライドドアの提供。【解決手段】  扉１と扉枠２とヒンジ３ａ，３ｂ，３ｃとヒンジ連結材７とスライドガイド材８とを備え、ヒンジは、扉の戸先側上部と戸尻側上部と戸尻側下部とに設けてあり、アーム４ａ，４ｂ，４ｃと扉側回動軸５ａ，５ｂ，５ｃと枠側回動軸６ａ，６ｂ，６ｃを有し、ヒンジ連結材７は、戸尻側上部と戸尻側下部のヒンジ３ｂ，３ｃの枠側回動軸６ｂ，６ｃを連結しており、スライドガイド材８は、戸先側上部と戸尻側上部のヒンジ３ａ，３ｂの扉側回動軸５ａ，５ｂと連結してあると共に扉１を幅方向にスライド自在に支持しており、戸尻側下部のヒンジ３ｃの扉側回動軸５ｃは、扉１の幅方向に設けた案内溝９に係合している。【選択図】      図１
2010053604.tif 000002
【特許請求の範囲】
【請求項１】
扉と扉枠とヒンジとヒンジ連結材とスライドガイド材とを備え、ヒンジは、扉の戸先側上部と戸尻側上部と戸尻側下部とに設けてあり、アームと扉側回動軸と枠側回動軸を有し、ヒンジ連結材は、戸尻側上部と戸尻側下部のヒンジの枠側回動軸を連結しており、スライドガイド材は、戸先側上部と戸尻側上部のヒンジの扉側回動軸と連結してあると共に扉を幅方向にスライド自在に支持しており、戸尻側下部のヒンジの扉側回動軸は、扉の幅方向に設けた案内溝に係合していることを特徴とする建物用スライドドア。
【請求項２】
何れか一のヒンジに扉側回動軸に対して偏心した偏心軸を有し、扉には円弧状案内溝を有し、扉を開ける際、アームが回動し終わるまで偏心軸が円弧状案内溝と係合することで扉のスライドが規制され、アームが回動し終わると偏心軸が円弧状案内溝から抜けて扉がスライド自在となることを特徴とする請求項１記載の建物用スライドドア。
【請求項３】
アームが扉閉鎖時の位置から一定角度回動したときにアームと係止してアームの回動を規制するストッパーを有することを特徴とする請求項１又は２記載の建物用スライドドア。
【発明の詳細な説明】
【技術分野】
【０００１】
本発明は、玄関等建物の出入口に設けられるスライドドアに関する。
【背景技術】
【０００２】
日本の伝統的な家屋の玄関には、２枚建や４枚建の引戸が用いられていた。引戸の場合、開けるときに引戸を引き込む「引き代」を枠に設ける必要があるため、玄関の間口が広くなる。都市型住宅では、玄関の間口が狭いため引戸を設置することができず、専ら回動して開くドアが用いられている。ドアは、狭い間口に設置できる反面、ドア開閉のために玄関前に広いデッドスペースができる、車椅子での出入りが困難であるといった引戸と比べて不利な点がある。
自動車用のスライドドアは、一旦外に持ち出してから横にスライドさせて開くため、外に向けて水平に回動する複数のアームにドアの上下方向の略中央部を片持ち状に支持し且つスライド自在に取付ける構造が採用されている（例えば、特許文献１参照。）。しかし、このような構造は上下寸法及び重量の大きい玄関ドアに採用すると、ドアの支持が不安定となり、スムーズにスライドできなかった。
【特許文献１】特開平３−１１５６８５号公報
【発明の開示】
【発明が解決しようとする課題】
【０００３】
本発明は以上に述べた実情に鑑み、枠に引き代が不要で狭い間口に設置することができる建物用のスライドドアの提供を目的とする。
【課題を解決するための手段】
【０００４】
上記の課題を達成するために請求項１記載の発明による建物用スライドドアは、扉と扉枠とヒンジとヒンジ連結材とスライドガイド材とを備え、ヒンジは、扉の戸先側上部と戸尻側上部と戸尻側下部とに設けてあり、アームと扉側回動軸と枠側回動軸を有し、ヒンジ連結材は、戸尻側上部と戸尻側下部のヒンジの枠側回動軸を連結しており、スライドガイド材は、戸先側上部と戸尻側上部のヒンジの扉側回動軸と連結してあると共に扉を幅方向にスライド自在に支持しており、戸尻側下部のヒンジの扉側回動軸は、扉の幅方向に設けた案内溝に係合していることを特徴とする。
【０００５】
請求項２記載の発明による建物用スライドドアは、請求項１記載の発明の構成に加え、何れか一のヒンジに扉側回動軸に対して偏心した偏心軸を有し、扉には円弧状案内溝を有し、扉を開ける際、アームが回動し終わるまで偏心軸が円弧状案内溝と係合することで扉のスライドが規制され、アームが回動し終わると偏心軸が円弧状案内溝から抜けて扉がスライド自在となることを特徴とする。
【０００６】
請求項３記載の発明による建物用スライドドアは、請求項１又は２記載の発明の構成に加え、アームが扉閉鎖時の位置から一定角度回動したときにアームと係止してアームの回動を規制するストッパーを有することを特徴とする。
【発明の効果】
【０００７】
請求項１記載の発明による建物用スライドドアは、扉の戸先側上部と戸尻側上部と戸尻側下部にヒンジを設け、これらのヒンジにより扉を扉枠から外に持ち出してからスライドさせる構造のため、扉枠に引き代が不要で狭い間口に設置することができると共に、デッドスペースを小さくできる、車椅子での出入が容易であるといった引戸の特徴を備えたものとなる。戸先側上部と戸尻側の上部及び下部の３箇所にヒンジを設けてあり、戸尻側の上部及び下部のヒンジの枠側回動軸をヒンジ連結材で連結し、戸先側上部及び戸尻側上部のヒンジの扉側回動軸をスライドガイド材で連結してあることで各ヒンジが同調して動くため、各ヒンジにより扉を扉枠の外に持ち出した状態で傾くことなく安定して支持でき、且つスライドガイド材により扉を幅方向にスライド自在に支持すると共に戸尻側下部のヒンジの扉側回動軸を扉の幅方向に設けた案内溝に係合した構成により、扉をがたつくことなくスムーズにスライドできる。
【０００８】
請求項２記載の発明による建物用スライドドアは、扉を開ける際にヒンジのアームが回動し終わるまで偏心軸が扉の円弧状案内溝と係合することで扉のスライドが規制されるため、扉を扉枠から一定距離だけ持ち出してからスライドさせられ、扉が扉枠とぶつかることがない。
【０００９】
さらに、請求項３記載の発明による建物用スライドドアは、アームの回動をストッパーにより途中で停止させることで、扉を外に少し持ち出した状態に保持し、採風・採光できる。
【発明を実施するための最良の形態】
【００１０】
以下、本発明の実施の形態を図面に基づいて説明する。図１〜９は、本発明の一実施形態に係る玄関用スライドドアを示している。このスライドドアは、図１（ａ）に示すように、上枠１５と下枠１６と左右の竪枠１７ａ，１７ｂを枠組みした扉枠２と、戸先側上部と戸尻側上部と戸尻側下部とをヒンジ３ａ，３ｂ，３ｃにより支持した扉体２とを備え、図１（ｂ）に示すように、各ヒンジ３ａ，３ｂ，３ｃが同調して室外側に回動することで扉１が扉枠２の室外側に持ち出され、その後、図１（ｃ）に示すように、扉１内に仕込んだスライドガイド材８を介して扉１を戸尻側にスライドして開けるようにしている。そのため、スライドドアでありながら扉枠２に扉１の引き代が不要で、都市型住宅の間口の狭い玄関にも設置できるものとなっている。
【００１１】
戸先側上部と戸尻側上部のヒンジ３ａ，３ｂは、図２と図３に示すように上枠１５内に設置してあって、先端部が室外側にＬ形に曲がったアーム４ａ，４ｂと、アームの先端部に設けた扉側回動軸５ａ，５ｂと、アームの基端部に設けた枠側回動軸６ａ，６ｂとを有している。両ヒンジの扉側回動軸５ａ，５ｂは、扉１に取付けた扉側横ステー１８により連結してあり、枠側回動軸６ａ，６ｂは上枠１５に取付けた枠側横ステー１９により連結してある。両ヒンジのアーム４ａ，４ｂは、扉側回動軸５ａ，５ｂを扉側横ステー１８で連結してあることで、同調して回動する。図２と図９に示すように、扉側横ステー１８の室内側面には室内側取付板２０が取付けてあり、扉１にはこれと対向するように室外側取付板２１を設けてあり、室内側取付板２０と室外側取付板２１との間にスライドガイド材８を設けてある。スライドガイド材８は、室内側取付板２０に固定した室内側レール８ａと、室外側取付板２１に固定した室外側レール８ｂと、両レールを左右方向に相対的にスライド自在に連結する連結部８ｃとを有し、左右方向に伸縮自在となっている。
【００１２】
図３に示すように、戸先側上部のヒンジ３ａのアーム４ａの基端部には、室外側に向けて突出する腕部２２が設けてあり、この腕部２２を枠側横ステー１９に連結して設けたガススプリング２３で押すことで、アーム４ａを室内側に回動する向きで付勢している。これにより扉１は、閉じたときに室内側に向けて押し付ける力が作用し、扉１の室内側面が扉枠２に取付けたタイト材２４に圧接して気密性・水密性が保たれる。また、ガススプリング２３による付勢力は、扉１を閉め切る際の動作をアシストする。
【００１３】
図３，９に示すように、戸尻側上部のヒンジ３ｂの扉側回動軸５ｂの下端部には、戸尻側に偏心した位置に偏心軸１０を設けてあり、室外側取付板２１には偏心軸１０の案内溝１２を形成するガイド部材２５を取付けてある。案内溝１２は、図３に示すように、扉１の幅方向に設けた直線部１２ａと、直線部１２ａの戸尻側端部に連続して設けた円弧状部１２ｂとを有している。扉１を閉めた状態からヒンジのアーム４ｂが室外側に９０°回動するまでの間、偏心軸１０は案内溝１２の円弧状部１２ｂと係合しており、これにより扉１のスライドが規制される。図４に示すように、ヒンジのアーム４ｂが室外側に９０°回動すると、それにつれて偏心軸１０が円弧状部１２ｂから抜けて直線部１２ａへと移動する。その後、扉１を戸尻側に動かすと、図５に示すように、偏心軸１０が直線部１２ａに案内されると共にスライドガイド材８が伸びて扉１が戸尻側にスライドする。
【００１４】
戸尻側下部のヒンジ３ｃは、図２と図６に示すように、下枠１６内に配置してあり、上側のヒンジ３ａ，３ｂと同じように略Ｌ形のアーム４ｃと扉側回動軸５ｃと枠側回動軸６ｃとを有している。枠側回動軸６ｃは、戸尻側上部のヒンジ３ｂの枠側回動軸６ｂとヒンジ連結軸７により連結してあり、そのため戸尻側上部のヒンジ３ｂのアーム４ｂと戸尻側下部のヒンジ３ｃのアーム４ｃとは同調して回動する。先に述べたように、戸先側上部のヒンジ３ａのアーム４ａと戸尻側上部のヒンジ３ｂのアーム４ｂも同調して回動するから、アーム４ａ，４ｂ，４ｃは３つとも同調して回動することになる。ヒンジ連結軸７は、戸尻側の竪枠１７ａ内に配置され、上部と下部を軸受け具２６により回転自在に支持されている。ヒンジ連結軸７は、戸尻側の上部と下部のヒンジ３ｂ，３ｃの枠側回動軸６ｂ，６ｃと一体に設けることもできる。
【００１５】
図９に示すように、扉側回動軸５ｃは上方に突出してアーム４ｃ先端部に取付けてあり、その根元側にはガイドローラー２７が設けてあり、先端部には戸尻側に偏心した位置に偏心軸１１を設けてある。扉１の下面側には、図２に示すように、下向きに開口したガイド部材２８が扉１の幅方向に取付けてあり、ガイド部材２８はガイドローラー２７が係合する広幅の案内溝９と、その上方に設けた偏心軸１１用の案内溝１３とを有している。偏心軸用の案内溝１３は、図６に示すように、扉１の幅方向に設けた直線部１３ａと、直線部１３ａの戸尻側端部に連続して設けた円弧状部１３ｂとを有している。扉１を閉めた状態（図６）及びヒンジのアーム４ｃが室外側に９０°回動するまでの間（図７）、偏心軸１１は案内溝１３の円弧状部１３ｂと係合しており、これにより扉１のスライドが規制される。図８に示すように、ヒンジのアーム４ｃが室外側に９０°回動すると、それにつれて偏心軸１１が円弧状部１３ｂから抜けて直線部１３ａへと移動し、扉１がスライド自在となる。
【００１６】
図２，６に示すように、戸尻側の竪枠１７ａ下部の内周側面にはストッパー装置２９が設けてあり、ストッパー装置２９は下枠１６内のアーム４ｃに向けて出没するストッパーピン１４を有している。アーム４ｃには、扉１を閉じた状態でストッパーピン１４から室内側にずれた位置にストッパーピンの落とし込み孔３０を設けてある。図７に示すように、アーム４ｃが扉閉鎖時の位置から室外側に少し（図示のものは１７°）回動したときに、ストッパーピン１４がアーム４ｃの孔３０に落ち込み、アーム４ｃの回動を一旦ストップさせることができる。これにより、扉１を扉枠２から室外側に途中まで持ち出した半開き状態で保持し、採風・採光が行える。このとき、偏心軸１０，１１が案内溝の円弧状部１２ｂ，１３ｂと係合しているため、扉１のスライドが規制されている。その後、扉１を完全に開けるときは、ストッパーピン１４を引き上げ操作してアーム４ｃの孔３０から引き抜く。
【００１７】
以上に述べたように本スライドドアは、取っ手３１を持って扉１を室外側に動かすと、戸先側上部と戸尻側上部と戸尻側下部の三箇所に設けたヒンジ３ａ，３ｂ，３ｃのアーム４ａ，４ｂ，４ｃが同調して室外側に回動し、扉１が扉枠２から室外側に持ち出される（図１（ｂ）参照。）。その後、扉１を戸尻側に動かすと、扉１内の上部に設けたスライドガイド材８が伸長して扉１が戸尻側にスライドする。このように本スライドドアは、扉枠２に扉１の引き代が不要で狭い間口に設置することができると共に、デッドスペースを小さくできる、車椅子での出入が容易であるといった引戸の特徴を備えたものとなっている。扉１を戸先側上部と戸尻側上部と戸尻側下部の三箇所のヒンジ３ａ，３ｂ，３ｃにより支持し、且つ各ヒンジのアーム４ａ，４ｂ，４ｃが同調して回動するため、大型の重量の重い扉１でも安定して室外に持ち出し、スライドさせることができる。戸尻側下部のヒンジ３ｃの扉側回動軸５ｃが扉１下部の案内溝９に係合しているため、スライド時に扉１下部が室内外方向にばたつかない。また、戸尻側上部と戸尻側下部のヒンジ３ｂ，３ｃの扉側回動軸５ｂ，５ｃに偏心軸１０，１１を設け、アーム４ｂ，４ｃが回動し終わるまで偏心軸１０，１１を案内溝の円弧状部１２ｂ，１３ｂに係合させることで扉１のスライドを規制したので、扉１がアーム４ａ，４ｂ，４ｃの回動の途中でスライドし扉枠２とぶつかったりすることがない。また、ストッパーピン１４によりアーム４ｃの回動を途中で停止させ、扉１を半開きの状態で保持して採風・採光を行うこともできる。さらに、スライドガイド材８を扉１内に設けたことで扉枠２や外壁にレールを設ける必要がなく、またヒンジ３ａ，３ｂ，３ｃやヒンジ連結材７を扉枠２内に設けたので、すっきりした良好な外観となっている。
【００１８】
本発明は以上に述べた実施形態に限定されない。扉枠を構成する枠材の断面形状、ヒンジのアームの形状、ヒンジの扉枠への取付構造等は適宜変更することができる。扉の構成は任意である。扉を閉めたときに、扉の室外側面が外壁面と面一になるようにすることもできる。ヒンジの偏心軸は、３箇所のヒンジのうちの何れか一つだけに設けてもよい。
【図面の簡単な説明】
【００１９】
【図１】本発明のスライドドアの構成を模式的に示す斜視図であって、（ａ）は扉を閉じた状態、（ｂ）はヒンジが回動して扉が室外側に持ち出された状態、（ｃ）は扉を開けた状態を示している。
【図２】本発明の一実施形態に係る玄関用スライドドアの縦断面図である。
【図３】図２のＡ−Ａ断面図である。
【図４】図２のＡ−Ａ位置における横断面図であって、ヒンジが回動して扉が室外側に持ち出されたときの状態を示す。
【図５】図２のＡ−Ａ位置における横断面図であって、扉を開けたときの状態を示す。
【図６】図２のＢ−Ｂ断面図である。
【図７】図２のＢ−Ｂ位置における横断面図であって、ストッパーピンによりアームの回動をストップさせたときの状態を示す。
【図８】図２のＢ−Ｂ位置における横断面図であって、扉を開けたときの状態を示す。
【図９】扉を室内側から見た正面図である。
【符号の説明】
【００２０】
１  扉
２  扉枠
３ａ，３ｂ，３ｃ  ヒンジ
４ａ，４ｂ，４ｃ  アーム
５ａ，５ｂ，５ｃ  扉側回動軸
６ａ，６ｂ，６ｃ  枠側回動軸
７  ヒンジ連結軸（ヒンジ連結材）
８  スライドガイド材
９  案内溝
１０，１１  偏心軸
１２，１３  偏心軸の案内溝
１２ａ，１３ａ  直線部
１２ｂ，１３ｂ  円弧状部（円弧状案内溝）
１４  ストッパーピン（ストッパー）
【図１】
2010053604.tif 000003
【図２】
2010053604.tif 000004
【図３】
2010053604.tif 000005
【図４】
2010053604.tif 000006
【図５】
2010053604.tif 000007
【図６】
2010053604.tif 000008
【図７】
2010053604.tif 000009
【図８】
2010053604.tif 000010
【図９】
2010053604.tif 000011